(57)【要約】【課題】  従来例に比べて電池の着脱が容易な照明器具を提供する。【解決手段】  収納凹部１０を有する器具本体１と、収納凹部１０を開閉する蓋体２と、電池３と、蓋体２に保持され電池３を電源として点灯可能な複数個の発光ダイオード４とを備える。電池３は、蓋体２に保持され、蓋体２が閉じた状態では収納凹部１０の内面と蓋体２との間の空間に収納される。収納凹部１０の開口を下方に向けて器具本体１が天井ＣＥに固定されると、蓋体２は開いた状態では器具本体１よりも下側に位置するから、上記のように電池３が蓋体２に保持されていれば、電池３が器具本体１に保持される従来例に比べ、電池３の着脱が容易である。【選択図】図１
2012181943.tif 000002
【特許請求の範囲】
【請求項１】
収納凹部を有し前記収納凹部の開口を下方に向けて天井に固定される器具本体と、
前記収納凹部を開閉する蓋体と、
電池と、
前記蓋体に保持され前記電池を電源として点灯可能な光源とを備え、
前記電池は、前記蓋体に保持され、前記蓋体が閉じた状態では前記収納凹部の内面と前記蓋体との間の空間に収納されることを特徴とする照明器具。
【請求項２】
前記収納凹部を閉じる閉位置と前記収納凹部を開く開位置との間で前記蓋体が前記器具本体に対して変位可能となるような形で前記蓋体を前記器具本体に対して連結する連結手段を備えることを特徴とする請求項１記載の照明器具。
【請求項３】
前記連結手段はヒンジであることを特徴とする請求項２記載の照明器具。
【請求項４】
前記収納凹部内において前記器具本体に保持され前記電池を電源として前記光源を点灯させる光源駆動部を備え、
前記光源駆動部と前記電池とを電気的に接続する電池接続手段と、前記光源駆動部と前記光源とを電気的に接続する光源接続手段との少なくとも一方が、前記ヒンジ内を貫通していることを特徴とする請求項３記載の照明器具。
【請求項５】
前記連結手段は、前記蓋体を前記器具本体に対して前記収納凹部の深さ方向に平行移動可能とするものであることを特徴とする請求項２記載の照明器具。
【請求項６】
前記蓋体を開位置に保持する保持手段を備えることを特徴とする請求項２〜５のいずれか１項に記載の照明器具。
【請求項７】
前記光源はそれぞれプリント配線板に実装された複数個の発光ダイオードからなり、
前記蓋体が閉じた状態で前記収納凹部の深さ方向から見て前記電池に重なる範囲における前記発光ダイオードの密度は、前記プリント配線板における前記発光ダイオードの密度よりも低いことを特徴とする請求項１〜６のいずれか１項に記載の照明器具。
【請求項８】
前記蓋体は、前記光源を保持した光源保持部と、前記電池を保持する電池保持部と、前記電池保持部よりも熱伝導率が高い材料からなり前記光源保持部と前記電池保持部との間に介在する放熱部とを有することを特徴とする請求項１〜７のいずれか１項に記載の照明器具。
【発明の詳細な説明】
【技術分野】
【０００１】
本発明は、照明器具に関するものである。
【背景技術】
【０００２】
従来から、電池を電源として電気的な光源を点灯させることができる照明器具が提供されている。
【０００３】
この種の照明器具として、天井に固定される器具本体と、光源を保持して器具本体に取り付けられた蓋体とを備えるものがある（例えば、特許文献１参照。）。
【先行技術文献】
【特許文献】
【０００４】
【特許文献１】特開２００９−２１８１５８号公報
【発明の概要】
【発明が解決しようとする課題】
【０００５】
従来例では、天井に固定される器具本体に電池が保持されていたので、電池の着脱が比較的に困難であった。
【０００６】
本発明は、上記事由に鑑みて為されたものであり、その目的は、従来例に比べて電池の着脱が容易な照明器具を提供することにある。
【課題を解決するための手段】
【０００７】
本発明の照明器具は、収納凹部を有し前記収納凹部の開口を下方に向けて天井に固定される器具本体と、前記収納凹部を開閉する蓋体と、電池と、前記蓋体に保持され前記電池を電源として点灯可能な光源とを備え、前記電池は、前記蓋体に保持され、前記蓋体が閉じた状態では前記収納凹部の内面と前記蓋体との間の空間に収納されることを特徴とする。
【０００８】
この照明器具において、前記収納凹部を閉じる閉位置と前記収納凹部を開く開位置との間で前記蓋体が前記器具本体に対して変位可能となるような形で前記蓋体を前記器具本体に対して連結する連結手段を備えていてもよい。
【０００９】
また、この照明器具において、前記連結手段はヒンジであってもよい。
【００１０】
さらに、この照明器具において、前記収納凹部内において前記器具本体に保持され前記電池を電源として前記光源を点灯させる光源駆動部を備え、前記光源駆動部と前記電池とを電気的に接続する電池接続手段と、前記光源駆動部と前記光源とを電気的に接続する光源接続手段との少なくとも一方が、前記ヒンジ内を貫通していてもよい。
【００１１】
または、上記の照明器具において、前記連結手段は、前記蓋体を前記器具本体に対して前記収納凹部の深さ方向に平行移動可能とするものであってもよい。
【００１２】
また、上記の照明器具において、前記蓋体を開位置に保持する保持手段を備えることが望ましい。
【００１３】
さらに、上記の照明器具において、前記光源はそれぞれプリント配線板に実装された複数個の発光ダイオードからなり、前記蓋体が閉じた状態で前記収納凹部の深さ方向から見て前記電池に重なる範囲における前記発光ダイオードの密度は、前記プリント配線板における前記発光ダイオードの密度よりも低いことが望ましい。
【００１４】
また、上記の照明器具において、前記蓋体は、前記光源を保持した光源保持部と、前記電池を保持する電池保持部と、前記電池保持部よりも熱伝導率が高い材料からなり前記光源保持部と前記電池保持部との間に介在する放熱部とを有することが望ましい。
【発明の効果】
【００１５】
本発明によれば、開いた状態では器具本体よりも下側に位置する蓋体に電池が保持されているので、電池が器具本体に保持される従来例に比べて電池の着脱が容易である。
【図面の簡単な説明】
【００１６】
【図１】本発明の実施形態を示す断面図である。
【図２】同上において蓋体が閉じた状態を示す下面図である。
【図３】同上の変更例を示す断面図である。
【図４】図３の例の要部を示す断面図である。
【図５】同上の別の変更例を示す断面図である。
【図６】図５の例の要部を示す右側面図である。
【図７】同上の更に別の変更例の要部を示す断面図である。
【図８】同上の別の変更例の要部を示す断面図である。
【発明を実施するための形態】
【００１７】
以下、本発明を実施するための最良の形態について、図面を参照しながら説明する。
【００１８】
本実施形態は、図１に示すように、収納凹部１０を有する器具本体１と、収納凹部１０を開閉する蓋体２と、電池３と、蓋体２に保持され電池３を電源として点灯可能な光源としての５個の発光ダイオード４とを備える。器具本体１の材料としては例えば金属や合成樹脂を用いることができる。
【００１９】
また、収納凹部１０内には、発光ダイオード４を点灯させる電力を生成する光源駆動部（図示せず）を収納したケース５が保持されている。光源駆動部は、電池３と商用電源とにそれぞれ電気的に接続されていて、商用電源から電力が供給されている期間には商用電源からの電力により光源４を点灯させ、停電中は電池３を電源として光源４を点灯させる。上記のような光源駆動部は周知の直流電源回路を用いて実現可能である。
【００２０】
また、電池３としては二次電池が用いられていて、ケース５内には、商用電源から電力を供給されて電池３を充電する充電部（図示せず）も収納されている。充電部と光源駆動部とはそれぞれ電源側電線５１を介して商用電源に電気的に接続されるとともに電池接続手段としての電池側電線５２を介して電池３に電気的に接続されている。また、光源駆動部は、光源接続手段としての光源側電線５３を介して発光ダイオード４に電気的に接続されている。各電線５１，５２，５３は、それぞれ、複数本用いられていてもよいし、互いに絶縁された複数本の心線を有するフラットケーブル等のケーブルであってもよい。
【００２１】
以下、上下左右は図１を基準として説明する。また、蓋体２及び蓋体２に固定される各部品については収納凹部１０を閉じた状態での方向を基準として説明する。
【００２２】
器具本体１は、下面に収納凹部１０が開口した有底円筒形状の本体部１１と、本体部１１の下端から径方向の外向きに突設された円環形状の鍔部１２とを有する。
【００２３】
器具本体１は、天井ＣＥに設けられた埋込穴ＣＥ１に埋め込まれた状態で固定されるものである。埋込穴ＣＥ１は例えば内径が本体部１１の外径よりも大きく且つ鍔部１２の外径よりも小さい円形状とされ、本体部１１の外周面と埋込穴ＣＥ１の内周面との間に生じる隙間は下方から見て鍔部１２に覆われる。天井ＣＥに対する器具本体１の固定は、例えば適宜の金具（図示せず）により達成される。
【００２４】
蓋体２は、円錐台形状の外形を有して下面に光源収納凹部２０が開口したボディ２１と、厚さ方向を上下方向に向けて光源収納凹部２０内に保持され下面に各発光ダイオード４がそれぞれ実装されたプリント配線板２２と、ボディ２１に結合して光源収納凹部２０を閉塞するカバー２３とを備える。ボディ２１に対してプリント配線板２２やカバー２３を固定する手段としては、嵌合や凹凸係合やねじ止めといった手段を適宜用いることができる。ボディ２１の材料は例えばアルミニウムのように比較的に熱伝導率が高い材料であることが、放熱性の観点からは望ましい。
【００２５】
５個の発光ダイオード４は、プリント配線板２２の実装面（下面）において、正方形の頂点と該正方形の対角線の交点との位置関係で配置されている。さらに、カバー２３において、発光ダイオード４の下側となる５箇所には、それぞれ、図２に示すように、発光ダイオード４の光を通過させる材料からなる円形状の窓部２３１が設けられている。各窓部２３１がそれぞれ発光ダイオード４の光を配光するレンズとして機能するように、各窓部２３１にはそれぞれ適宜の凹凸が設けられている。
【００２６】
また、カバー２３の左端部はヒンジ６を介して器具本体１に連結されている。これにより、蓋体２は、プリント配線板２２の厚さ方向を上下方向に向けて光源収納凹部２０を閉塞する閉位置と、閉位置から右端部を下方へ変位させて光源収納凹部２０を開放する開位置との間で、器具本体１に対して右端部を上下に変位させるように回転可能となっている。ヒンジ６は、例えば、軸方向を前後方向に向けた円筒形状であって器具本体１に固定された本体側筒と、軸方向を前後方向に向けた円筒形状であってカバー２３に固定された蓋側筒と、本体側筒と蓋側筒との両方を貫通する円柱形状の軸棒とで構成される。
【００２７】
さらに、器具本体１の鍔部１２の右端部には、係止片７１が、器具本体１に対し径方向である左右方向に平行移動可能に保持されている。係止片７１の右面と鍔部１２との間には圧縮コイルばねからなる復帰ばね７２が介装されている。すなわち、図１の矢印Ａ１に示すように蓋体２を閉じる際には、復帰ばね７２のばね力に抗して係止片７１を右方に押し込みつつ蓋体２を閉じ、その後に係止片７１への力を解除する。すると、復帰ばね７２のばね力により係止片７１が復帰して係止片７１の左端部が蓋体２の右端部の下側に位置する。ここにおいて、蓋体２の開放（すなわち蓋体２の右端部の下方への変位）が係止片７１によって禁止される。蓋体２を開く際には、再度、復帰ばね７２のばね力に抗して係止片７１を右方に押し込めばよい。
【００２８】
電池３は、蓋体２に保持され、蓋体２が閉じた状態では収納凹部１０の内面と蓋体２との間の空間に収納される。
【００２９】
具体的には、電池３は、蓋体２のボディ２１の上面に固定される。電池３をボディ２１に固定する手段としては、例えば、嵌合や、凹凸係合や、ねじ止めなどが考えられる。
【００３０】
上記構成によれば、蓋体２が開いた状態では器具本体１よりも下側に位置する蓋体２に電池３が保持されるから、電池３が器具本体１に保持される場合に比べ、電池３の着脱が容易となる。
【００３１】
ここで、蓋体２が器具本体１から分離可能な構造であっても上記の効果は得られる。ただし、上記のように光源駆動部が電池３や光源４と電線５２，５３を介して接続されている場合には、蓋体２が開いた状態でも器具本体１に連結されていたほうが、蓋体２を開いたときに電線５２，５３に引張り力などの機械的ストレスが加わりにくくなるから望ましい。
【００３２】
なお、蓋体２を開位置に保持する保持手段を設けてもよい。具体的には例えば、図３に示すように、開位置において蓋体２の左端部を引掛係止する保持手段としての係止部１３を器具本体に設ける。図３の例では、蓋体２のボディ２１は左上端部においてヒンジ６に連結されている。また、係止部１３は、鍔部１２の左端部から右下方に突設され、開位置にある蓋体２のボディ２１の左下端部の下側へ弾性変形により係入して閉位置への蓋体２の回転を禁止するものである。上記構成を採用すれば、保持手段が設けられない場合に比べ、開位置での蓋体２の姿勢が安定するから、電池３の着脱がより容易となる。
【００３３】
また、図４に示すように、電池側電線５２と光源側電線５３との少なくとも一方（図４では光源側電線５３のみ）がヒンジ６を貫通していてもよい。具体的には例えば、ヒンジ６を構成する本体側筒と蓋側筒との一方または両方に、電源側電線５２や光源側電線５３が挿通される溝（図示せず）を設ける。この構成を採用すれば、ヒンジ６に通された電線５３は、ヒンジ６に通されない電線５２に比べ、器具本体１や蓋体２に密着しやすくなり、従って、電池３の交換作業の際に使用者が接触しにくくなるから、電線５３に機械的ストレスがかかることによる断線が発生しにくくなる。上記の場合、ヒンジ６に通された電線５３と光源駆動部との接続を容易とするために、光源駆動部を収納したケース５は、器具本体１においてヒンジ６に連結された側（図４では左側）の壁に固定されていることが望ましい。
【００３４】
さらに、器具本体１と蓋体２とを連結する連結手段はヒンジ６に限られず、図５及び図６に示すような２個の連結機構８を用いてもよい。連結機構８は蓋体２の左右両端部に１個ずつ設けられており、各連結機構８は、それぞれ器具本体１に連結された２本の本体側アーム８１と、各本体側アーム８１にそれぞれ連結されるとともに蓋体２に連結された蓋側アーム８２とからなる。器具本体１において収納凹部１０の左右の内面にはそれぞれ軸方向を左右方向に向けた円柱形状の軸凸部１４が２個ずつ前後に並べて突設されており、各本体側アーム８１はそれぞれ１個ずつの軸凸部１４が左右に貫通することで器具本体１に連結されている。また、各本体側アーム８１は、それぞれ、軸凸部１４が貫通した連結部８１１と、連結部８１１の前後方向（図６での左右方向）での内側の端に連結され上下に長い環形状のガイド部８１２とを有する。各連結機構８において、蓋側アーム８２の上端部には、それぞれ１個ずつのガイド部８１２を左右に貫通する２個の被ガイド突起８２１が前後に並べて左右方向の外向きに突設されている。すなわち、各被ガイド突起８２１がそれぞれガイド部８１２内で上下に変位することで、蓋体２は器具本体１に対して上下方向（すなわち収納凹部１０の深さ方向）に平行移動可能となっている。器具本体１に対する蓋体２の可動範囲の上端（閉位置）は、ボディ２１の上面が器具本体１の下端よりも上側に位置する程度（つまり、電池３が器具本体１の収納凹部１０に完全に収納される程度）とされている。また、器具本体１に対する蓋体２の可動範囲の下端（開位置）は、電池３の上端が器具本体１の下端よりも下側に位置する程度とされている。上記の場合、器具本体１に対する可動範囲の下端（開位置）において蓋体２が連結機構８に支持されることで蓋体２の位置が安定するので、連結機構８は保持手段を兼ねていることになる。
【００３５】
ところで、図１のように蓋体２が器具本体１に対する回転により開閉される場合、蓋体２に電池３が固定された状態で蓋体２の開閉を可能とするためには、蓋体２の上方への電池３の突出寸法が大きいほど、器具本体１の収納凹部１０の開口を図１での右方向に大きくする必要がある。これに対し、図５及び図６に示すように蓋体２が器具本体１に対して収納凹部１０の深さ方向に平行移動することで開閉される場合、蓋体２の上方への電池３の突出寸法が大きくても、収納凹部１０の開口を大きくする必要がない。
【００３６】
ここで、電池３の劣化を抑えるためには、電池３の温度上昇はなるべく低く抑えられることが望ましい。図５の例では、蓋体２は、ボディ２１よりも熱伝導率が低い材料からなりボディ２１の上面に固定された電池保持部２４に電池３を保持している。つまり、図５の例においては、プリント配線板２２が光源保持部であり、このプリント配線板２２と電池保持部２４との間に介在して電池保持部２４よりも熱伝導率が高い材料からなるボディ２１が放熱部である。上記構成を採用すれば、放熱部であるボディ２１や、光源保持部であるプリント配線板２２に、電池３が直接接触する場合に比べ、発光ダイオード４の熱による電池３の温度上昇が抑えられる。
【００３７】
また、電池３が発光ダイオード４の熱の影響を受けにくいように、蓋体２が閉じた状態で上下方向（つまり収納凹部１０の深さ方向）から見て電池３に重なる範囲における発光ダイオード４の密度（単位面積当りの個数）は、プリント配線板２２における発光ダイオード４の密度よりも低いことが望ましい。ここで、プリント配線板２２における発光ダイオード４の密度とは、プリント配線板２２に実装された発光ダイオード４の総数を、プリント配線板２２の実装面（下面）の面積で除した値を指す。さらに、図７に示すように、器具本体１の収納凹部１０の深さ方向である上下方向から見て発光ダイオード４に重ならないように電池３が配置されることが望ましい。また、図７の例では、空気よりも比熱が高い材料からなるヒートシンク２５が、プリント配線板２２とボディ２１との間に介装されている。
【００３８】
さらに、図８に示すように、表面積を増大させて方熱効率を高める放熱フィン２１１を、蓋体２のボディ２１等に設けてもよい。
【符号の説明】
【００３９】
１  器具本体
２  蓋体
３  電池
４  発光ダイオード（光源）
６  ヒンジ（連結手段）
８  連結機構（連結手段、保持手段）
１０  収納凹部
１３  係止部（保持手段）
２１  ボディ（放熱部）
２２  プリント配線板（光源保持部）
２４  電池保持部
５２  電池側電線（電池接続手段）
５３  光源側電線（光源接続手段）
ＣＥ  天井
【図１】
2012181943.tif 000003
【図２】
2012181943.tif 000004
【図３】
2012181943.tif 000005
【図４】
2012181943.tif 000006
【図５】
2012181943.tif 000007
【図６】
2012181943.tif 000008
【図７】
2012181943.tif 000009
【図８】
2012181943.tif 000010